(57)【要約】【課題】意匠性を向上するとともに、位置の制約を緩和する換気構造及び住宅を提供する。【解決手段】本発明の換気構造（２０）は、建物外部からの空気を取り込む吸気部（２１）と、この吸気部（２１）と連通する空間（３３）が形成された天井部（３０）と、この天井部（３０）と連結される壁部（４０）と、天井部（３０）と壁部（４０）とのコーナー部に沿って延在する筒状部材（２０）とを備え、筒状部材（２０）は、空間（３３）と連通する第１開口部と、建物内部と連通する第２開口部とを有している。【選択図】図２
2017214726.tif 000002
【特許請求の範囲】
【請求項１】
建物外部からの空気を取り込む吸気部と、
前記吸気部と連通する空間が形成された天井部と、
前記天井部と連結される壁部と、
前記天井部と前記壁部とのコーナー部に沿って延在する筒状部材とを備え、
前記筒状部材は、前記空間と連通する第１開口部と、建物内部と連通する第２開口部とを有する、換気構造。
【請求項２】
前記筒状部材は、前記天井部に当接する当接板と、該当接板の両端から下方に向けて立設する第１及び第２壁板とを有し、
前記第１壁板は前記壁部と対向し、
前記当接板、前記第１壁板、または前記第２壁板には、前記第１開口部が形成されており、
前記第１及び２壁板における前記当接板と反対側の端部は、前記第２開口部を構成する、請求項１に記載の換気構造。
【請求項３】
前記天井部は、二重天井構造を有し、
前記二重天井構造の空間が前記吸気部と連通する、請求項１または２に記載の換気構造。
【請求項４】
前記筒状部材は、ピクチャーレールである、請求項１〜３のいずれか１項に記載の換気構造。
【請求項５】
請求項１〜４のいずれか１項に記載の換気構造を備える、住宅。
【請求項６】
複数の居室に前記筒状部材が設けられている、請求項５に記載の住宅。
【発明の詳細な説明】
【技術分野】
【０００１】
本発明は、換気構造及び住宅に関する。
【背景技術】
【０００２】
建物内部の換気を行うための構造として、例えば実開平６−４０７４６号公報（特許文献１）に開示された換気構造が挙げられる。特許文献１には、換気扇を用いた換気構造では室内の壁面に換気扇が突出しているため室内の美観を損なうことを課題として、カーテンレールを使用した換気構造が開示されている。
【先行技術文献】
【特許文献】
【０００３】
【特許文献１】実開平６−４０７４６号公報
【発明の概要】
【発明が解決しようとする課題】
【０００４】
建築基準法で規定されている２４時間換気システムの設置に対して、建物外部と内部とを連通する吸気経路として、従来より、建物に設けられた貫通孔に吸気スリーブが設置されている。本発明者は、この吸気スリーブは、室内の壁面に露出していて目立つため、意匠性を損ねていることに着目した。そこで、意匠性を向上する吸気構造及び住宅を実現することを課題とした。
【０００５】
また、上記特許文献１には、カーテンレールを使用した換気構造が開示されているが、カーテンレールを設置するのは、窓に限られる。このため、上記特許文献１の換気構造は、設置する位置に制約がある。
【０００６】
本発明は、上記問題点に鑑み、意匠性を向上するとともに、位置の制約を緩和する換気構造及び住宅を提供することを課題とする。
【課題を解決するための手段】
【０００７】
本発明の換気構造は、建物外部からの空気を取り込む吸気部と、この吸気部と連通する空間が形成された天井部と、この天井部と連結される壁部と、天井部と壁部とのコーナー部に沿って延在する筒状部材とを備え、筒状部材は、天井部の空間と連通する第１開口部と、建物内部と連通する第２開口部とを有している。
【０００８】
本発明の換気構造によれば、筒状部材は、天井部の空間及び建物内部と連通する第１及び第２開口部を有しているので、天井部の空間及び筒状部材の中空部分を空気の流路とすることができる。このため、吸気部から建物外部の空気を取り込み、取り込んだ空気を、天井部の空間、第１開口部、筒状部材の中空部分、及び第２の開口部を経由して、建物内部に供給することができる。したがって、従来の吸気スリーブを小さく、または、省略できるので、意匠性を向上できる。
【０００９】
また、筒状部材は、天井部と壁部とのコーナー部に沿って延在するように設けられている。このため、窓の有無によらず、筒状部材を設置できる。したがって、本発明の換気構造を設置する位置の制約を緩和できる。
【００１０】
以上より、本発明の換気構造は、意匠性を向上できるとともに、位置の制約を緩和できる。
【００１１】
本発明の換気構造において好ましくは、筒状部材は、天井部に当接する当接板と、この当接板の両端から下方に向けて立設する第１及び第２壁板とを有し、第１壁板は壁部と対向し、当接板、第１壁板、または第２壁板には、第１開口部が形成されており、第１及び２壁板における当接板と反対側の端部は、第２開口部を構成する。
【００１２】
これにより、天井部の空間を通る建物外部の空気を、当接板、第１壁板または第２壁板に形成された第１開口部、筒状部材の中空部分、第１壁板及び第２壁板の開口端である第２開口部を経由して、建物内部に供給することができる。したがって、意匠性を向上できるとともに、位置の制約を緩和できる換気構造を実現できる。
【００１３】
本発明の換気構造において好ましくは、天井部は二重天井構造を有し、この二重天井構造の空間が吸気部と連通している。
【００１４】
これにより、吸気部と連通する空間が形成された天井部を容易に実現できる。
【００１５】
本発明の換気構造において好ましくは、筒状部材は、ピクチャーレールである。
【００１６】
このようにピクチャーレールを筒状部材として用いることにより、室内の意匠性をより向上することができる。
【００１７】
本発明の住宅は、上記いずれか記載の換気構造を備えている。
【００１８】
本発明の住宅によれば、吸気部から取り込んだ建物外部の空気を、天井部の空間、第１開口部、筒状部材の中空部分、及び第２開口部を経由して、建物内部に供給できる換気構造を備えているので、意匠性を向上できる。また、建物外部の空気を供給する筒状部材は、天井部と壁部とのコーナー部に沿って延在するように設けられているので、住宅において換気構造の位置の制約を緩和できる。
【００１９】
本発明の住宅において好ましくは、複数の居室に筒状部材が設けられている。
【００２０】
本発明の換気構造は、吸気部により建物外部から取り込んだ空気の流路となる空間が形成された天井部と、壁部とのコーナー部に、筒状部材を配置できるので、複数の居室に筒状部材を容易に設けることができる。したがって、建物外部から取り込んだ空気を複数の居室に供給することもできる。
【発明の効果】
【００２１】
本発明の換気構造及び住宅は、意匠性を向上できるとともに、位置の制約を緩和できる。
【図面の簡単な説明】
【００２２】
【図１】本発明の実施の形態における住宅を概略的に示す平面図である。
【図２】本発明の実施の形態における換気構造を概略的に示し、図１におけるＩＩ−ＩＩ線に沿った断面図である。
【図３】図２における領域ＩＩＩの拡大断面図である。
【図４】本発明の実施の形態の変形例１における換気構造を示し、図３に相当する領域の模式図である。
【図５】本発明の実施の形態の変形例２における換気構造を示し、図３に相当する領域の模式図である。
【発明を実施するための形態】
【００２３】
以下、図面に基づいて本発明の実施の形態を説明する。なお、以下の図面において同一または相当する部分には同一の参照符号を付しその説明は繰り返さない。
【００２４】
図１〜図５を参照して、本発明の一実施形態の換気構造及び住宅について説明する。
【００２５】
図１に示すように、本実施の形態の住宅１０は、集合住宅であって、複数の居室１１〜１５と、ベランダ１６とを備えている。居室１１〜１４には、換気構造２０が設けられている。
【００２６】
本実施の形態の住宅１０において、換気構造２０は、建物外部の空気を建物内部に供給する吸気口であり、建物内部の空気を建物外部に排出する排出口（図示せず）がさらに設けられている。
【００２７】
続いて、主に図２及び図３を参照して、本実施の形態の換気構造２０について説明する。図２は、図１に示す住宅１０の居室１３及びベランダ１６近傍を示す。
【００２８】
図２及び図３に示すように、換気構造２０は、吸気部２１と、二重天井構造３１を有する天井部３０と、壁部４０と、筒状部材５０とを備えている。
【００２９】
吸気部２１は、建物外部からの空気を取り込む。吸気部２１は、建物の内部と外部とを区画する部分に設けられている。図１に示すように、吸気部２１は、建物の内部と外部とを区画する外壁に複数設けられていてもよく、共用廊下１７側にさらに設けられていてもよい。図２に示す吸気部２１は、居室１３とベランダ１６とを区画する外壁を兼ねる天井部３０に設けられたスリーブとしている。吸気部２１には、ファンなどの空気流動装置が設けられていてもよい。
【００３０】
天井部３０は、天井スラブ３２と、この天井スラブ３２と空間３３を隔てて配置される天井材３４とを備えた二重天井構造３１を有している。天井スラブ３２と天井材３４とで形成された空間３３は、吸気部２１と連通している。空間３３は、天井懐の空気層であり、天井チャンバーまたはダクトとして用いることができる。空間３３には、ファンなどの空気流動装置が設けられていてもよい。天井材３４は、天井スラブ３２よりも室内側（図２及び図３の下側）に配置されており、室内から視認される天井面を有している。天井部３０は、天井スラブ３２に天井材３４を取り付ける野縁材など、柱材をさらに有していてもよい。
【００３１】
この天井部３０と連結されるように壁部４０が設けられている。壁部４０は、例えば、柱材４１と、この柱材４１の表面に形成される壁パネル４２とを有している。壁部４０は、仕切壁であっても、外壁であってもよい。
【００３２】
天井部３０と壁部４０とのコーナー部に沿って延在するように、筒状部材５０が設けられている。筒状部材５０は、内部が空洞の中空構造であり、外形及び内形は断面視において多角形であっても円であってもよく、本実施の形態では矩形としている。また、筒状部材５０には、延在方向に沿って延びる開口が形成されていてもよい。
【００３３】
筒状部材５０は、図３に示すように、第１開口部５１と、第２開口部５２とを有している。第１開口部５１及び第２開口部５２は、貫通孔である。第１開口部５１は、二重天井構造３１の空間３３と連通している。第２開口部５２は、建物内部と連通している。このため、筒状部材５０において、第１開口部５１と、中空部分と、第２開口部５２とで、空気の流路を形成している。
【００３４】
また、筒状部材５０は、略コ字状であり、当接板５３と、第１壁板５４と、第２壁板５５とを有している。当接板５３は、天井部３０に当接する。天井部３０において当接板５３に当接される部材は限定されず、当接板５３は、天井スラブ３２、天井材３４、柱材３５などと当接して（図３では柱材３５に当接して）、締結される。第１壁板５４及び第２壁板５５は、当接板５３の両端から下方に向けて立設する。第１壁板５４は壁部４０と対向している。当接板５３、第１壁板５４、または第２壁板５５（図３では第２壁板５５）には、第１開口部５１が形成されている。第１及び２壁板５４、５５における当接板５３と反対側の端部は、開口端であり、第２開口部５２を構成している。
【００３５】
筒状部材５０は、天井部３０と壁部４０とのコーナー部に沿って延在しているので、建物内部において目立ちにくい位置に配置されている。筒状部材５０の材料、用途などは特に限定されないが、インテリア部材であることが好ましい。インテリア部材として、例えば、ピクチャーレールが挙げられる。なお、ピクチャーレールとは、絵、鏡、衣類、時計などの展示品を飾るために設置されたレールであり、展示品を吊るすためのワイヤー、ハンガーなどが筒状部材５０に取り付けられる。また、化粧板などで筒状部材５０を形成することで、筒状部材５０の外観をインテリア部材としてもよい。
【００３６】
換気構造２０においては、吸気部２１、二重天井構造３１の空間３３、筒状部材５０の第１開口部５１、筒状部材５０の中空領域、及び筒状部材５０の第２開口部５２を空気の流路としている。
【００３７】
ここで、図１〜図３に示す換気構造２０について、具体的に説明する。図２に示すように、天井スラブ３２には、居室１３、１４とベランダ１６とを区画する位置に、下方に延出する延出部が設けられている。この延出部に、吸気部２１が設けられている。この吸気部２１は、二重天井構造３１の空間３３と連なっている。
【００３８】
図３に示すように、天井部３０において、天井スラブ３２と連結された柱材３５が設けられている。この柱材３５が、壁部４０の柱材４１と連結されている。
【００３９】
筒状部材５０の第１壁板５４は、当接板５３の一端から下方に向けて立設された平板部５４ａと、この平板部５４ａの先端から第２壁板５５に向けて延出する内側延出部５４ｂと、平板部５４ａの先端から第２壁板５５と反対側に向けて延出する外側延出部５４ｃとを有している。また、筒状部材５０の第２壁板５５は、当接板５３の他端から下方に向けて立設された平板部５５ａと、この平板部５５ａの先端から第１壁板５４に向けて延出する内側延出部５５ｂと、平板部５５ａの先端から第１壁板５４と反対側に向けて延出する外側延出部５５ｃとを有している。
【００４０】
第１壁板５４の内側延出部５４ｂと第２壁板５５の内側延出部５５ｂとの開口端で形成される第２開口部５２は、筒状部材５０の延在方向に沿って、延在している。
【００４１】
筒状部材５０の当接板５３は、天井部３０の柱材３５に連結されている。また、第１壁板５４は、壁部４０の柱材４１と対向し、外側延出部５４ｃが壁パネル４２の上端面に連結されている。また、第２壁板５５の外側延出部５５ｃは、天井材３４の下端面に連結されている。
【００４２】
この換気構造２０においては、図１及び図３の矢印に示すように、建物外部の空気を建物内部に供給することができる。すなわち、吸気部２１から建物外部の空気を取り込み、取り込んだ空気を、二重天井構造３１の空間３３、筒状部材５０の第１開口部５１、筒状部材５０の中空部分、及び筒状部材５０の第２開口部５２を経由して、建物内部に供給することができる。
【００４３】
続いて、本実施の形態の換気構造の変形例について、図４及び図５を参照して説明する。なお、図４及び図５は、図３に示す具体的構造と異なり、換気構造を模式的に示したものである。図４及び図５において、建物内部に供給される外気の流れを矢印で示す。
【００４４】
（変形例１）
図４に示す変形例１の換気構造２３は、基本的には図３と同様であるが、第１開口部５１が第１壁板５４に形成されている点において主に異なる。筒状部材５０の第１壁板５４は、天井部３０の天井材３４及び壁部４０の少なくとも一方に連結されている。
【００４５】
変形例１の換気構造２３の空気の流路は、吸気部２１、空間３３、第１壁板５４に形成された第１開口部５１、筒状部材５０の中空、及び筒状部材５０の第２開口部５２である。
【００４６】
（変形例２）
図５に示す変形例２の換気構造２４は、基本的には図３と同様であるが、第１開口部５１が当接板５３に形成されている点において主に異なる。
【００４７】
天井部３０の天井材３４には、壁部４０とのコーナー部近傍に、開口部３４ａが形成されている。筒状部材５０の当接板５３には第１開口部５１が形成されており、筒状部材５０の第１開口部５１と天井部３０の開口部３４ａとが連通している。このため、変形例２の換気構造２４の空気の流路は、吸気部２１、空間３３、天井材３４に形成された開口部３４ａ、当接板５３に形成された第１開口部５１、筒状部材５０の空間、及び第２開口部５２である。
【００４８】
以上説明したように、本実施の形態及び変形例に係る換気構造２０、２３、２４は、建物外部からの空気を取り込む吸気部２１と、この吸気部２１と連通する空間３３が形成された二重天井構造３１を有する天井部３０と、この天井部３０と連結される壁部４０と、天井部３０と壁部４０とのコーナー部に沿って延在する筒状部材５０とを備え、筒状部材５０は、空間３３と連通する第１開口部５１と、建物内部と連通する第２開口部５２とを有している。
【００４９】
本実施の形態及び変形例の換気構造２０、２３、２４によれば、筒状部材５０は、二重天井構造３１の空間３３と連通する第１開口部５１と、建物内部と連通する第２開口部５２とを有しているので、二重天井構造３１の空間３３及び筒状部材５０の中空部分を空気の流路とすることができる。このため、吸気部２１から建物外部の空気を取り込み、取り込んだ空気を、二重天井構造３１の空間３３、第１開口部５１、筒状部材５０の中空部分、及び第２開口部５２を経由して、建物内部に供給することができる。従来の建物外壁の貫通孔に設置された吸気スリーブは、壁部等に設けられて室内に露出するので存在感があるが、本実施の形態及び変形例の換気構造２０、２３、２４は、壁部等に設けられた吸気スリーブの代替となるため、吸気スリーブを省略できる。また、筒状部材５０は、天井部３０と壁部４０とのコーナー部に沿って設けられているので、建物内部においても目立ちにくい。したがって、建物内部の意匠性を向上できる。
【００５０】
また、筒状部材５０は、天井部３０と壁部４０とのコーナー部に沿って延在するように設けられている。このため、任意のコーナー部に筒状部材５０を配置できるので、窓の存在が前提である特許文献１に比べて、本実施の形態は筒状部材５０を設置する位置の制約を低減できる。したがって、換気構造２０の位置の制約を緩和できる。
【００５１】
さらに、筒状部材５０が、天井部３０と壁部４０とのコーナー部に沿って設けられているので、筒状部材５０から供給される空気が建物内部の人に直接当たることを低減できる。この観点から、局所的に外気が供給されることを抑制するために、筒状部材５０において第２開口部５２が分散されていることが好ましい。したがって、本実施の形態及び変形例の換気構造２０、２３、２４は、建物外壁に設けられた貫通孔に設置された吸気スリーブに比べて、快適に過ごすことができる。
【００５２】
さらには、換気構造２０、２３、２４を備えることで、壁部４０の構造によっては、施工性を向上できる。また、躯体品質を向上することや、躯体コストを低減することもできる。
【００５３】
特に、筒状部材５０として、ピクチャーレールを用いることが好ましい。本発明者はピクチャーレールに第１開口部５１を形成するとともに、第２開口部５２を構成させることに着想した結果、ピクチャーレールを吸気口として用いることを見出した。このため、比較的簡易な構成で、意匠性の高い吸気口の設置を実現できる。
【００５４】
このように、本実施の形態及び変形例の換気構造２０、２３、２４は、意匠性を向上できるとともに、位置の制約を緩和できるので、換気構造を備える建物として、住宅が好適であり、集合住宅がより好適である。
【００５５】
なお、本実施の形態及び変形例の換気構造２０、２３、２４は、二重天井構造３１を有する天井部３０を備えているが、本発明の換気構造は、吸気部と連通する空間が形成された天井部を備えていればよく、二重天井構造を有していなくてもよい。この場合、例えば、天井部の空間として、天井材と屋根との間の小屋裏空間とし、小屋裏空間が建物外部の吸気部と連通している構造としてもよい。
【００５６】
また、本実施の形態及び変形例の換気構造２０、２３、２４を備える図１の住宅１０には、吸気スリーブが設けられていないが、本発明の換気構造を備える住宅は、吸気スリーブを有していてもよい。この場合、建物外部と内部とを連通する吸気経路として、換気構造と吸気スリーブとがあるので、吸気スリーブの縮小化及び／または吸気スリーブの減少化を可能にするので、意匠性を向上できる。
【００５７】
今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００５８】
１０  住宅、１１〜１５  居室、１６  ベランダ、２０，２３，２４  換気構造、２１  吸気部、３０  天井部、３１  二重天井構造、３２  天井スラブ、３３  空間、３４  天井材、３４ａ  開口部、３５，４１  柱材、４０  壁部、４２  壁パネル、５０  筒状部材、５１  第１開口部、５１  第２開口部、５３  当接板、５４  第１壁板、５４ａ，５５ａ  平板部、５４ｂ，５５ｂ  内側延出部、５４ｃ，５５ｃ  外側延出部、５５  第２壁板。
【図１】
2017214726.tif 000003
【図２】
2017214726.tif 000004
【図３】
2017214726.tif 000005
【図４】
2017214726.tif 000006
【図５】
2017214726.tif 000007